(57)【要約】  （ａ）クロム化合物と、（ｂ）一般構造（Ａ）Ｒ１Ｒ２Ｐ−Ｎ（Ｒ３）−Ｐ（Ｒ４）−ＮＲ５Ｒ６または（Ｂ）Ｒ１Ｒ２Ｐ−Ｎ（Ｒ３）−Ｐ（ＸＲ７）Ｒ８もしくはＲ１Ｒ２Ｐ−Ｎ（Ｒ３）−Ｐ（ＸＲ７）２（式中、Ｘ＝ＯもしくはＳである）（式中、Ｒ１、Ｒ２、Ｒ３、Ｒ４、Ｒ５、Ｒ６、Ｒ７およびＲ８は独立して、Ｃ１〜Ｃ１０−アルキル、Ｃ６〜Ｃ２０−アリール、Ｃ３〜Ｃ１０−シクロアルキル、アラルキル、アルキルアリール、もしくはトリアルキルシリルである）の配位子、または（Ａ）および（Ｂ）の任意の環状誘導体の配位子であって、ＰＮＰＮ単位またはＰＮＰ単位のＰまたはＮ原子の少なくとも１つが、環システムの一部であり、環システムが、構造（Ａ）または（Ｂ）の１つ以上の構成化合物から置換により形成される配位子と、（ｃ）活性剤または助触媒とを含む、触媒組成物；ならびに三量体化および／または四量体化のための方法。【特許請求の範囲】
【請求項１】
（ａ）クロム化合物と、
（ｂ）一般構造
（Ａ）Ｒ１Ｒ２Ｐ−Ｎ（Ｒ３）−Ｐ（Ｒ４）−ＮＲ５Ｒ６または
（Ｂ）Ｒ１Ｒ２Ｐ−Ｎ（Ｒ３）−Ｐ（ＸＲ７）Ｒ８もしくはＲ１Ｒ２Ｐ−Ｎ（Ｒ３）−Ｐ（ＸＲ７）２（式中、Ｘ＝ＯもしくはＳである）
（式中、Ｒ１、Ｒ２、Ｒ３、Ｒ４、Ｒ５、Ｒ６、Ｒ７およびＲ８は独立して、Ｃ１〜Ｃ１０−アルキル、Ｃ６〜Ｃ２０−アリール、Ｃ３〜Ｃ１０−シクロアルキル、アラルキル、アルキルアリール、もしくはトリアルキルシリルである）の配位子、または（Ａ）および（Ｂ）の任意の環状誘導体の配位子であって、ＰＮＰＮ単位またはＰＮＰ単位のＰまたはＮ原子の少なくとも１つが、環システムの一部であり、前記環システムが、構造（Ａ）または（Ｂ）の１つ以上の構成化合物から置換により形成される、配位子と、
（ｃ）活性剤または助触媒と、
を含むことを特徴とする触媒組成物。
【請求項２】
請求項１に記載の触媒組成物であって、
前記クロム化合物が、Ｃｒ（ＩＩ）もしくはＣｒ（ＩＩＩ）の有機塩、無機塩、配位錯体、有機金属錯体、または前述のうちの少なくとも１つを含む組合せであることを特徴とする触媒組成物。
【請求項３】
請求項２に記載の触媒組成物であって、
前記クロム化合物が、ＣｒＣｌ３（ＴＨＦ）３、Ｃｒ（ＩＩＩ）アセチルアセトネート、Ｃｒ（ＩＩＩ）オクタノエート、クロムヘキサカルボニル、Ｃｒ（ＩＩＩ）−２−エチルヘキサノエート、（ベンゼン）トリカルボニル−クロム、または前述のうちの少なくとも１つを含む組合せであることを特徴とする触媒組成物。
【請求項４】
請求項１から３のいずれか１項に記載の触媒組成物であって、
Ｒ１、Ｒ２、Ｒ３、Ｒ４、Ｒ５、Ｒ６、Ｒ７、およびＲ８がそれぞれ独立して、メチル、エチル、イソプロピル、ｔｅｒｔ−ブチル、シクロヘキシル、フェニル、ベンジル、トリル、またはキシリルであることを特徴とする触媒組成物。
【請求項５】
請求項１から４のいずれか１項に記載の触媒組成物であって、
前記活性剤または助触媒が、トリメチルアルミニウム、トリエチルアルミニウム、トリイソプロピルアルミニウム、トリイソブチルアルミニウム、エチルアルミニウムセスキクロリド、ジエチルアルミニウムクロリド、エチルアルミニウムジクロリド、メチルアルミノキサン（ＭＡＯ）、変性メチルアミノキサン（ＭＭＡＯ）、または前述のうちの少なくとも１つを含む組合せであることを特徴とする触媒組成物。
【請求項６】
請求項１から５のいずれか１項に記載の触媒組成物であって、
前記配位子が、Ｐｈ２Ｐ−Ｎ（ｉ−Ｐｒ）−Ｐ（Ｐｈ）−Ｎ（ｉ−Ｐｒ）Ｐｈ、Ｐｈ２Ｐ−Ｎ（ｉ−Ｐｒ）−Ｐ（Ｐｈ）−Ｎ（Ｍｅ）Ｃ６Ｈ６、Ｐｈ２Ｐ−Ｎ（ｉ−Ｐｒ）−Ｐ（Ｐｈ）Ｓ（ｉ−Ｐｒ）、Ｐｈ２Ｐ−Ｎ（ｉ−Ｐｒ）−Ｐ（Ｐｈ）ＯＣ２Ｈ５、Ｐｈ２Ｐ−Ｎ（ｉ−Ｐｒ）Ｐ（Ｐｈ）ＯＣＨ３、または前述のうちの少なくとも１つを含む組合せであることを特徴とする触媒組成物。
【請求項７】
請求項１から６のいずれか１項に記載の触媒組成物であって、
溶媒、好ましくは、芳香族炭化水素、直鎖脂肪族炭化水素、環状脂肪族炭化水素、直鎖オレフィン、エーテル、または前述のうちの少なくとも１つを含む組合せ、好ましくは、トルエン、ベンゼン、エチルベンゼン、クメン、キシレン、メシチレン、ヘキサン、オクタン、シクロヘキサン、メチルシクロヘキサン、ヘキセン、ヘプテン、オクテン、ジエチルエーテル、テトラヒドロフラン、クロロベンゼン、または前述のうちの少なくとも１つを含む組合せ、最も好ましくは、トルエンまたはクロロベンゼンを更に含むことを特徴とする触媒組成物。
【請求項８】
請求項７に記載の触媒組成物であって、
前記クロム化合物の濃度が、０．０１から１００ｍｍｏｌ／Ｌまで、好ましくは、０．１から１０ｍｍｏｌ／Ｌであることを特徴とする触媒組成物。
【請求項９】
請求項１から８のいずれか１項に記載の触媒組成物であって、
配位子／Ｃｒモル比が０．５から５０まで、好ましくは、０．８から２．０であることを特徴とする触媒組成物。
【請求項１０】
請求項５から９のいずれか１項に記載の触媒組成物であって、
Ａｌ／Ｃｒモル比が１：１から１０００：１まで、好ましくは、１０：１から２００：１であることを特徴とする触媒組成物。
【請求項１１】
少なくとも
（ａ）クロム化合物と、
（ｂ）一般構造
（Ａ）Ｒ１Ｒ２Ｐ−Ｎ（Ｒ３）−Ｐ（Ｒ４）−ＮＲ５Ｒ６または
（Ｂ）Ｒ１Ｒ２Ｐ−Ｎ（Ｒ３）−Ｐ（ＸＲ７）Ｒ８もしくはＲ１Ｒ２Ｐ−Ｎ（Ｒ３）−Ｐ（ＸＲ７）２
（式中、
Ｘ＝ＯもしくはＳであり、
Ｒ１、Ｒ２、Ｒ３、Ｒ４、Ｒ５、Ｒ６、Ｒ７およびＲ８は独立して、Ｃ１〜Ｃ１０−アルキル、Ｃ６〜Ｃ２０−アリール、Ｃ３〜Ｃ１０−シクロアルキル、アラルキル、アルキルアリール、もしくはトリアルキルシリルである）の配位子、または（Ａ）および（Ｂ）の任意の環状誘導体の配位子であって、ＰＮＰＮ単位またはＰＮＰ単位のＰまたはＮ原子の少なくとも１つが、環システムの一部であり、前記環システムが、構造（Ａ）または（Ｂ）の１つ以上の構成化合物から置換により形成される、配位子と、
（ｃ）活性剤または助触媒と、
を合わせることにより得られることを特徴とする触媒組成物。
【請求項１２】
エチレンの三量体化および／または四量体化のための方法であって、反応器中で請求項１から１１のいずれか１項に記載の触媒組成物をエチレンの気相にさらすことと、オリゴマ化を行うこととを含むことを特徴とする方法。
【請求項１３】
請求項１２に記載の方法であって、
前記オリゴマ化が、圧力１から２００ｂａｒ、好ましくは、１０から５０ｂａｒで実施されることを特徴とする方法。
【請求項１４】
請求項１２または１３に記載の方法であって、
前記オリゴマ化が、温度１０から２００℃まで、好ましくは、２０から１００℃で実施されることを特徴とする方法。
【請求項１５】
請求項１２から１４のいずれか１項に記載の方法であって、
平均滞留時間が１０分から２０時間まで、好ましくは、１から４時間であることを特徴とする方法。
【発明の詳細な説明】
【技術分野】
【０００１】
本発明は、触媒組成物、ならびにエチレンのオリゴマ化のための方法、特にエチレンの三量体化および四量体化のために関する。
【背景技術】
【０００２】
コモノマグレードの１−ヘキセンおよび１−オクテンを含む、直鎖アルファオレフィン（ＬＡＯ）の製造のための既存の方法は、エチレンのオリゴマ化によるものである。これらの方法は、共通して、鎖長４、６、８などのエチレンオリゴマの生成物分布を生じる。これは、競合する鎖成長および置換反応工程により大きく左右される化学的機構によるものであり、シュルツ−フローリまたはポアソン生成物分布を生じる。
【０００３】
マーケティングの観点から、この生成物分布は、一連のアルファオレフィン製造業者に手ごわい難題を提起する。その理由は、提供されるそれぞれの市場区分が、市場規模および成長、地理、フラグメント化などに関して、非常に異なる挙動を呈するからである。したがって、製造業者にとって、市場の要求に適応することは非常に難しい。これは、所定の経済的文脈において、一連の生成物の一部は高い需要を有するであろうが、同時に他の生成物の取り分が全く市場向きでないか、わずかなニッチでのみ市場向きであるであろうことによる。今のところ、最高の価値のＬＡＯ生成物は、ポリマ産業ではコモノマグレードの１−ヘキセンであるが、１−オクテンの需要も相当の速度で増大している。
【０００４】
国際公開第２００９／００６９７９Ａ２号は、触媒組成物ならびにエチレンの二量体化、三量体化および／または四量体化のための方法を記載している。触媒組成物は、クロム化合物と、例えば一般構造Ｒ１Ｒ２Ｐ−Ｎ（Ｒ３）−Ｐ（Ｒ４）−Ｎ（Ｒ５）−Ｈの配位子と、活性剤として機能する助触媒とを含む。配位子の置換基Ｒ１、Ｒ２、Ｒ３、Ｒ４およびＲ５は独立して、（特に）Ｃ１〜Ｃ１０−アルキル、アリールおよび置換されたアリールを含むいくつかの官能基である。
【０００５】
クロム源は、ＣｒＣｌ３（ＴＨＦ）３、Ｃｒ（ＩＩＩ）アセチルアセトネート、Ｃｒ（ＩＩＩ）オクタノエート、Ｃｒ−ヘキサカルボニル、Ｃｒ（ＩＩＩ）−２−エチルヘキサノエートおよび（ベンゼン）トリカルボニル−クロム（ＴＨＦ＝テトラヒドロフラン）である。
【０００６】
助触媒（ｃｏ−ｃａｔａｌｙｓｔ）または活性剤は、トリメチルアルミニウム、トリエチルアルミニウム、トリイソプロピルアルミニウム、トリイソブチルアルミニウム、エチルアルミニウムセスキクロリド、ジエチルアルミニウムクロリド、エチルアルミニウムジクロリド、メチルアルミノキサンまたは前述のうちの少なくとも１つを含む組合せである。この先行技術は、選択的なエチレンのオリゴマ化反応のための触媒系の部類を開示している。
【０００７】
例えば、１つの実施形態は、この部類の触媒系から選択される特定の触媒組成物を使用して、エチレンを高度に選択的に三量体化して、１−ヘキセンを高収率で与える。
【０００８】
この触媒成分の選択は、クロム源としてＣｒＣｌ３（ＴＨＦ）３、活性剤としてトリエチルアルミニウム、および触媒活性錯体のための配位子として（Ｐｈ）２Ｐ−Ｎ（ｉ−Ｐｒ）−Ｐ（Ｐｈ）−Ｎ（ｉ−Ｐｒ）−Ｈ（Ｐｈ＝フェニル基、ｉ−Ｐｒ＝イソプロピル基）を含む。この配位子は、典型的なＰＮＰＮ−Ｈ骨格を特徴とするため、この部類の化合物は、その置換基の正確な性質にかかわらず、多くの場合、「ＰＮＰＮ−Ｈ配位子」と呼ばれる。
【０００９】
国際公開第２０１０／１１５５２０Ａ１号は、既に国際公開第２００９／００６９７９Ａ２号に開示された一般型の本質的に変性された触媒系を記載している。これらの変性された系は、既に知られていた同じＰＮＰＮ−Ｈ型配位子を利用している。しかし、現在、「変性剤」が系に添加されており、これは（限定されるものではないが）［Ｈ４Ｅ］Ｘ、［Ｈ３ＥＲ］Ｘ、［Ｈ２ＥＲ２］Ｘ、［ＨＥＲ３］Ｘまたは［ＥＲ４］Ｘ（式中、Ｅ＝ＮまたはＰであり、Ｘ＝Ｃｌ、ＢｒまたはＩであり、Ｒ＝アルキル、シクロアルキル、アシル、アリール、アルケニル、アルキニルなどである）型のアンモニウムまたはホスホニウム塩である。
【００１０】
好ましい実施形態は、例えば、テトラフェニルホスホニウムクロリド、テトラエチルアンモニウムクロリド一水和物、トリエチルアミン−ヒドロクロリドなどの変性剤を含む。また、「［ＥＲ４］Ｘ型」変性剤として、ドデシルトリメチルアンモニウムクロリドを有利に使用できる。これは、ドデシルトリメチルアンモニウムクロリドが安価であり、豊富に供給され、反応溶液によく溶解するからである。ハロゲン含有変性剤により、触媒系は、オリゴマ化条件下において、インサイチュで形成される、結果として生じる触媒活性種において、［Ｃｒ］／［ハロゲン］モル比を独立して調節できる。
【００１１】
技術的規模では、上記の先行技術のオリゴマ化技術は、主に１−ブテンおよび１−ヘキセンの製造に適し、この１−ブテンおよび１−ヘキセンは、ポリエチレン（ＰＥ）製造におけるコモノマとして、特に直鎖状低密度ポリエチレン（ＬＬＤＰＥ）のために使用される。今のところ、ＰＥ製造のために使用されるコモノマの大部分は１−ブテンであり、続いて１−ヘキセンの需要が増大している。しかし、高い引張強度および耐クラック性を特徴とするいくつかの高品質ＰＥ材料は、コモノマとして１−オクテンを必要とする。これまで、最大量の１−オクテンは、一連のＬＡＯプロセスまたはフィッシャ・トロプシュ流（Ｆｉｓｃｈｅｒ−Ｔｒｏｐｓｃｈ  ｓｔｒｅａｍ）からの抽出から得られている。これらの技術は、幾分多量の１−オクテン以外の生成物に悩まされるので、それらの経済的な実行可能性は、技術的および経済的な境界条件で大きく異なる。これは、局所的な境界条件下で、一連の生成物について、インフラストラクチャ、市場アクセスおよび価格の動向に関係する。
【先行技術文献】
【特許文献】
【００１２】
【特許文献１】国際特許出願公開第２００９／００６９７９号パンフレット
【特許文献２】国際特許出願公開第２０１０／１１５５２０号パンフレット
【発明の概要】
【発明が解決しようとする課題】
【００１３】
したがって、１−オクテンへの選択率がより高い触媒系および方法を利用可能にすることが望ましい。１−ヘキセンも価値のあるコモノマであるので、１−ヘキセン／１−オクテンを組み合わせた方法も、同様に経済的に興味深い。
【課題を解決するための手段】
【００１４】
ある実施形態では、触媒組成物は、
（ａ）クロム化合物と、
（ｂ）一般構造
（Ａ）Ｒ１Ｒ２Ｐ−Ｎ（Ｒ３）−Ｐ（Ｒ４）−ＮＲ５Ｒ６または
（Ｂ）Ｒ１Ｒ２Ｐ−Ｎ（Ｒ３）−Ｐ（ＸＲ７）Ｒ８もしくはＲ１Ｒ２Ｐ−Ｎ（Ｒ３）−Ｐ（ＸＲ７）２（式中、Ｘ＝ＯもしくはＳである）（式中、Ｒ１、Ｒ２、Ｒ３、Ｒ４、Ｒ５、Ｒ６、Ｒ７およびＲ８は独立して、Ｃ１〜Ｃ１０−アルキル、Ｃ６〜Ｃ２０−アリール、Ｃ３〜Ｃ１０−シクロアルキル、アラルキル、アルキルアリール、もしくはトリアルキルシリルである）の配位子、または（Ａ）および（Ｂ）の任意の環状誘導体の配位子であって、ＰＮＰＮ単位またはＰＮＰ単位のＰまたはＮ原子の少なくとも１つが、環システムの一部であり、環システムが、構造（Ａ）または（Ｂ）の１つ以上の構成化合物から置換により形成される、配位子と、
（ｃ）活性剤または助触媒と、
を含む。
【００１５】
別の実施形態では、触媒を得る方法は、少なくとも（ａ）クロム化合物と、（ｂ）上記の一般構造（Ａ）または（Ｂ）の配位子と、（ｃ）活性剤または助触媒とを混合することを含む。
【００１６】
更に別の実施形態では、エチレンの三量体化および／または四量体化のための方法は、上記の触媒組成物をエチレンの気相に反応器中でさらすことと、オリゴマ化を行うこととを含む。
【発明を実施するための形態】
【００１７】
本明細書では、触媒組成物およびオリゴマ化のための１−オクテンへの選択率が高く、先行技術の不利益を克服する方法が記載される。特に、より高い選択率で１−オクテンの製造を可能にする触媒および方法が提供されるものとし、１−ヘキセン／１−オクテンを組み合わせて製造する方法も対象とする。触媒組成物は、（ａ）クロム化合物と、（ｂ）一般構造
（Ａ）Ｒ１Ｒ２Ｐ−Ｎ（Ｒ３）−Ｐ（Ｒ４）−ＮＲ５Ｒ６または
（Ｂ）Ｒ１Ｒ２Ｐ−Ｎ（Ｒ３）−Ｐ（ＸＲ７）Ｒ８もしくはＲ１Ｒ２Ｐ−Ｎ（Ｒ３）−Ｐ（ＸＲ７）２（式中、Ｘ＝ＯもしくはＳである）
（式中、Ｒ１、Ｒ２、Ｒ３、Ｒ４、Ｒ５、Ｒ６、Ｒ７およびＲ８は独立して、Ｃ１〜Ｃ１０−アルキル、Ｃ６〜Ｃ２０−アリール、Ｃ３〜Ｃ１０−シクロアルキル、アラルキル、アルキルアリール、もしくはトリアルキルシリルである）の配位子、または（Ａ）および（Ｂ）の任意の環状誘導体の配位子であって、ＰＮＰＮ単位またはＰＮＰ単位のＰもしくはＮ原子の少なくとも１つが、環システムの一部であり、環システムが、構造（Ａ）または（Ｂ）の１つ以上の構成化合物から置換により形成される配位子と、（ｃ）活性剤または助触媒とを含む。理解される通り、（Ａ）および（Ｂ）の任意の環状誘導体は、配位子として利用されることができ、ＰＮＰＮ単位（構造（Ａ））またはＰＮＰ単位（構造（Ｂ））のＰまたはＮ原子のうちの少なくとも１つは、環の一部であり、この環は、構造（Ａ）または（Ｂ）の１つ以上の構成化合物から置換により形成され、すなわち、構成化合物１個当たり、（定義された）２つの基Ｒ１〜Ｒ８全体もしくはＨ、（定義された）２つの基Ｒ１〜Ｒ８のそれぞれからの１つの原子、または（定義された）基Ｒ１〜Ｒ８全体もしくはＨおよび別の（定義された）基Ｒ１〜Ｒ８からの１原子を形式上除去し、形式上このように形成された原子価が不飽和の部位を、構成化合物１個当たり、１つの共有結合により結合させて、所定の部位に最初に存在していた原子価と同じ原子価を提供することにより形成される。
【００１８】
このような環状誘導体の例は、次の通りであってもよい。
【化１】
2016529098.tif 000002
【００１９】
好ましくは、クロム化合物が、Ｃｒ（ＩＩ）またはＣｒ（ＩＩＩ）の有機または無機塩、配位錯体および有機金属錯体である。
【００２０】
最も好ましくは、クロム化合物が、ＣｒＣｌ３（ＴＨＦ）３、Ｃｒ（ＩＩＩ）アセチルアセトネート、Ｃｒ（ＩＩＩ）オクタノエート、クロムヘキサカルボニル、Ｃｒ（ＩＩＩ）−２−エチルヘキサノエート、（ベンゼン）トリカルボニル−クロム、または前述のうちの少なくとも１つを含む組合せである。
【００２１】
Ｒ１、Ｒ２、Ｒ３、Ｒ４、Ｒ５、Ｒ６、Ｒ７およびＲ８が、メチル、エチル、イソプロピル、ｔｅｒｔ−ブチル、シクロヘキシル、フェニル、ベンジル、トリル、キシリル、または前述のうちの少なくとも１つを含む組合せであることも好ましい。
【００２２】
１つの実施形態では、活性剤または助触媒が、トリメチルアルミニウム、トリエチルアルミニウム、トリイソプロピルアルミニウム、トリイソブチルアルミニウム、エチルアルミニウムセスキクロリド、ジエチルアルミニウムクロリド、エチルアルミニウムジクロリド、メチルアルミノキサン（ＭＡＯ）、変性メチルアミノキサン（ＭＭＡＯ）、または前述のうちの少なくとも１つを含む組合せである。
【００２３】
最も好ましいのは、触媒組成物であって、配位子が、Ｐｈ２Ｐ−Ｎ（ｉ−Ｐｒ）−Ｐ（Ｐｈ）−Ｎ（ｉ−Ｐｒ）Ｐｈ、Ｐｈ２Ｐ−Ｎ（ｉ−Ｐｒ）−Ｐ（Ｐｈ）−Ｎ（Ｍｅ）Ｃ６Ｈ６、Ｐｈ２Ｐ−Ｎ（ｉ−Ｐｒ）−Ｐ（Ｐｈ）Ｓ（ｉ−Ｐｒ）、Ｐｈ２Ｐ−Ｎ（ｉ−Ｐｒ）−Ｐ（Ｐｈ）ＯＣ２Ｈ５、Ｐｈ２Ｐ−Ｎ（ｉ−Ｐｒ）Ｐ（Ｐｈ）ＯＣＨ３、または前述のうちの少なくとも１つを含む組合せである、触媒組成物である。
【００２４】
溶媒、好ましくは芳香族炭化水素、直鎖および環状脂肪族炭化水素、直鎖オレフィンならびにエーテル、好ましくは、トルエン、ベンゼン、エチルベンゼン、クメン、キシレン、メシチレン、ヘキサン、オクタン、シクロヘキサン、メチルシクロヘキサン、ヘキセン、ヘプテン、オクテン、ジエチルエーテル、テトラヒドロフラン、クロロベンゼン、または前述のうちの少なくとも１つを含む組合せ、最も好ましくは、トルエンまたはクロロベンゼンを更に含む触媒組成物も、好ましく提供される。
【００２５】
１つの実施形態では、クロム化合物の濃度が、０．０１から１００ｍｍｏｌ／Ｌまで、好ましくは、０．１から１０ｍｍｏｌ／Ｌである。
【００２６】
配位子／Ｃｒモル比は、好ましくは、０．５から５０まで、好ましくは、０．８から２．０である。Ａｌ／Ｃｒモル比は、好ましくは、１：１から１０００：１まで、好ましくは、１０：１から２００：１である。
【００２７】
当業者に自明であるように、触媒組成物を提供するための成分（ａ）から（ｃ）は、多かれ少なかれ出発材料として考えられるが、遊離化合物（ｆｒｅｅ  ｃｏｍｐｏｕｎｄ）（ａ）〜（ｃ）が混合されて触媒組成物を形成する際に変換されてもよい。この点について、本発明による触媒組成物は、少なくとも（ａ）クロム化合物と、（ｂ）一般構造
（Ａ）Ｒ１Ｒ２Ｐ−Ｎ（Ｒ３）−Ｐ（Ｒ４）−ＮＲ５Ｒ６または
（Ｂ）Ｒ１Ｒ２Ｐ−Ｎ（Ｒ３）−Ｐ（ＸＲ７）Ｒ８もしくはＲ１Ｒ２Ｐ−Ｎ（Ｒ３）−Ｐ（ＸＲ７）２（式中、Ｘ＝ＯもしくはＳ）
（式中、Ｒ１、Ｒ２、Ｒ３、Ｒ４、Ｒ５、Ｒ６、Ｒ７およびＲ８は独立して、Ｃ１〜Ｃ１０−アルキル、Ｃ６〜Ｃ２０−アリール、Ｃ３〜Ｃ１０−シクロアルキル、アラルキル、アルキルアリール、もしくはトリアルキルシリルである）の配位子または（Ａ）および（Ｂ）の任意の環状誘導体の配位子であって、ＰＮＰＮ単位またはＰＮＰ単位のＰまたはＮ原子の少なくとも１つが、環システムの一部であり、環システムが、構造（Ａ）または（Ｂ）の１つ以上の構成化合物から置換により形成される、配位子と、（ｃ）活性剤または助触媒とを混合することにより得られるとも示され得る。
【００２８】
エチレンの三量体化および／または四量体化のための方法であって、本発明による触媒組成物をエチレンの気相に反応器中でさらすことと、オリゴマ化を行うこととを含む方法も、本発明による。有機金属触媒を使用して、オリゴマ化を行う要件および条件は、当技術で周知である。好ましくは、オリゴマ化が、圧力１から２００ｂａｒ、好ましくは、１０から５０ｂａｒで実施される。
【００２９】
オリゴマ化が、温度１０から２００℃まで、好ましくは、２０から１００℃で実施されることも好ましい。
【００３０】
１つの実施形態では、方法は、連続的に、半連続的にまたは不連続的に実施される。
【００３１】
最後に、平均滞留時間は、１０分から２０時間まで、好ましくは、１から４時間であってもよい。
【００３２】
驚くべきことに、本発明の触媒組成物は、１−オクテンへの選択率および活性が著しく増大したエチレンのオリゴマ化を提供することが見出された。更に、先行技術に基づいて、それぞれの配位子構造がうまく修正され、１−オクテンの選択率を増大することが見出された。好ましい実施形態では、プロセス全体の選択率の制御に影響を与える適切な助触媒および溶媒を用いて、選択率が更に増大され得ることも見出された。
【００３３】
次に、本発明の更なる利点および特徴が、下記の実施例の節に示される。
【実施例】
【００３４】
配位子に関して、２つの実質的な実施形態があることが見出された。第１の実施形態では、構造Ｒ１Ｒ２Ｐ−Ｎ（Ｒ３）−Ｐ（Ｒ４）−ＮＲ５Ｒ６を有する配位子が使用される。第２の実施形態では、配位子は、Ｒ１Ｒ２Ｐ−Ｎ（Ｒ３）−Ｐ（ＸＲ７）Ｒ８またはＲ１Ｒ２Ｐ−Ｎ（Ｒ３）−Ｐ（ＸＲ７）２（式中、Ｘ＝ＯもしくはＳ）である。第１の実施形態の配位子は、以下に示される様々な合成アプローチによって入手できる。
【００３５】
【化２】
2016529098.tif 000003
【００３６】
うまく合成されたこの第１の実施形態の具体的な配位子も、以下に示される。
【００３７】
【化３】
2016529098.tif 000004
【００３８】
［Ｐｈ２ＰＮ（ｉ−Ｐｒ）Ｐ（Ｐｈ）ＮＲ１Ｒ２の調製のための一般的な手順］
２ｍｍｏｌの適切な第二級アミンを、１．２５ｍＬのｔＢｕＬｉ（ヘキサン中１．６Ｍ）により、０℃でトルエン中でリチウム化し、室温（ｒ．ｔ．：ｒｏｏｍ  ｔｅｍｐｅｒａｔｕｒｅ）で４時間撹拌した。その後、リチウム化されたアミンの溶液を、０．７７ｇ（２ｍｍｏｌ）のＰｈ２ＰＮ（ｉＰｒ）Ｐ（Ｐｈ）Ｃｌのトルエン中溶液に０℃で移し、ｒ．ｔ．で２４時間撹拌した。溶液を濾過し、乾燥するまで蒸発させると、油または固体が残り、これを低温のｎ−ペンタンで洗浄した。
【００３９】
全ての場合において、Ｐｈ２Ｐ（ｉＰｒ）ＮＰＣｌの調製は、クロス  Ｒ．Ｊ．；グリーン，Ｈ．Ｔ．；キート，Ｒ．「Ｊ．Ｃｈｅｍ．Ｓｏｃ．Ｄａｌｔｏｎ  Ｔｒａｎｓ．」１９７６、１４２４〜１４２８頁に与えられる通り行った。
【００４０】
［Ｐｈ２ＰＮ（ｉ−Ｐｒ）Ｐ（Ｐｈ）ＮＭｅ２（１）の調製］
０．７７ｇ（２ｍｍｏｌ）のＰｈ２Ｐ（ｉＰｒ）ＮＰＣｌをトルエン中に溶解させ、１０ｍＬのジメチルアミン（ＴＨＦ中２Ｍ）とトルエンの混合物中に０℃でゆっくりと移した。溶液を１２時間（ｈ）室温で撹拌すると、溶液が濁った。全ての揮発性化合物を蒸発させた後、残留物を高温のｎ−ヘキサン中に溶解させ、濾過した。−４０℃で静置する間に、純粋なＰｈ２ＰＮ（ｉＰｒ）Ｐ（Ｐｈ）ＮＭｅ２の白色結晶が溶液から沈殿した（３１Ｐ−ＮＭＲ  Ｃ６Ｄ６：４８．０；９１．０ｐｐｍのブロードシグナル）。
【００４１】
例えば、下記のさらなる配位子が、この方法を使用して合成された。
Ｐｈ２ＰＮ（ｉ−Ｐｒ）Ｐ（Ｐｈ）Ｎ（ｉ−Ｐｒ）Ｐｈ  （２）
Ｐｈ２ＰＮ（ｉ−Ｐｒ）Ｐ（Ｐｈ）Ｎ（Ｍｅ）Ｃ６Ｈ１１  （３）
【００４２】
［オリゴマ化の実施例］
標準的なエチレンのオリゴマ化が実施された。ディップチューブ、サーモウェル、気体混入スターラ（ｇａｓ  ｅｎｔｒａｉｎｍｅｎｔ  ｓｔｉｒｒｅｒ）、冷却コイル、温度、圧力およびスターラ速度用制御ユニット（全てデータ取得システムに接続される）を備えた３００ｍｌの圧力反応器を、乾燥アルゴンで不活性化した。天秤上のアルミニウム加圧気体シリンダにより、等圧のエチレン供給を維持し、コンピュータ処理したデータ取得システムにより、経時的にエチレンの消費量を監視した。
【００４３】
実験を行う前に、反応器を減圧下で１００℃まで数時間加熱し、微量の水、酸素および酸化不純物を除去した。
【００４４】
触媒調製のために、適切な量の配位子およびクロム前駆体を秤量し、不活性雰囲気下のシュレンク管に入れた。７５ｍｌの体積の無水の溶媒を添加して、マグネチックスターラにより溶液を撹拌した。Ｃｒ化合物および配位子を溶解させた後、５ｍｌのＭＭＡＯ−３Ａの溶液（ヘプタン中７ｗｔ％のＡｌ）を添加した。溶液を直ちに反応器に移し、反応を開始させた。反応は、エチレンの最大取込み量（８０ｇ）に達したとき、または設定時間後にエチレン導入バルブを閉め、室温に冷却し、圧力を下げ、反応器を開放することによるいずれかで停止した。
【００４５】
液体生成混合物を希釈ＨＣｌでクエンチし、既知の量のドデカヒドロトリフェニレンを内部標準として用いた、ガスクロマトグラフィを使用して分析した。固体を濾過し、乾燥させて秤量した。
【００４６】
触媒性能テストの結果を表１に示す。特に表１は、ＰＮＰＮ（Ｒ’）（Ｒ”）型の配位子を使用した触媒テストの結果を示し、標準反応条件は、ｐエチレン＝３０ｂａｒ、Ｔ＝６０℃、助触媒＝５ｍＬのＭＭＡＯ−３Ａ（ヘプタン中７ｗｔ％のＡｌ、おおよその組成［（ＣＨ３）０．７（ｉＣ４Ｈ９）０．３ＡｌＯ］ｎ）、７５ｍＬの溶媒、［Ｃｒ］＝０．０３４ｍｍｏｌ、［配位子］／［Ｃｒ］＝１．２５ｍｏｌ／ｍｏｌとした。
【００４７】
【表１】
2016529098.tif 000005
【００４８】
Ｃ４、Ｃ６、Ｃ８およびＣ１０＋の列の値は、重量パーセントでのそれぞれの収率である。これらの列の括弧内の値は、Ｃ６またはＣ８画分のそれぞれの選択率（重量パーセント）である。例えば、表１において、配位子１では、Ｃ８列は、反応からの生成物が４４．０重量パーセントのＣ８を含有し、このＣ８画分の９９．３重量パーセントが１−オクテンからなることを意味する。
【００４９】
結果は、形成された均一触媒系が、好ましい１−ヘキセンおよび１−オクテンへの選択率を示した、Ｃ６／Ｃ８比率がＮ末端の置換基の性質により、好ましくは、溶媒により調節できることを示す。
【００５０】
第２の実施形態によると、構造（Ｂ）による配位子が使用された。
【００５１】
特に、下記の構造の配位子が合成された。
【化４】
2016529098.tif 000006
【化５】
2016529098.tif 000007
【化６】
2016529098.tif 000008
【００５２】
第２の実施形態のいくつかの配位子の調製の詳細は、次の通りである。
【００５３】
［ＰＮＰ（ＯＲ）／ＰＮＰ（ＳＲ）配位子の合成］
（Ｐｈ２ＰＮ（ｉＰｒ）Ｐ（Ｐｈ）Ｓ（ｉＰｒ）の調製  （Ａ））
０．７７ｇ（２ｍｍｏｌ）のＰｈ２Ｐ（ｉＰｒ）ＮＰＣｌをトルエン中に溶解させ、０．３８１ｇ（５ｍｍｏｌ）の２−プロパンチオール、１ｍＬ（７ｍｍｏｌ）のトリエチルアミンおよびトルエンの混合物中にｒ．ｔ．でゆっくりと移した。溶液を２４時間、４０℃で撹拌すると、溶液が濁った。濾過し、全ての揮発性化合物を蒸発させた後、無色の油が残った。（３１Ｐ−ＮＭＲ  Ｃ６Ｄ６：４６．４ｐｐｍ  ブロード；９１．７ｐｐｍ  ｄ；Ｊ＝２６Ｈｚ）
【００５４】
（Ｐｈ２ＰＮ（ｉＰｒ）Ｐ（Ｐｈ）ＯＥｔの調製  （Ｂ））
０．７７ｇ（２ｍｍｏｌ）のＰｈ２ＰＮ（ｉＰｒ）Ｐ（Ｐｈ）Ｃｌ、１ｍＬ（７ｍｍｏｌ）のトリエチルアミン、０．２３３ｍＬ（４ｍｍｏｌ）のエタノールおよびトルエンの混合物を、５０℃で６日間撹拌した。濁った溶液を濾過し、乾燥するまで蒸発させて、無色の油を得た。（３１Ｐ−ＮＭＲ  ＣＤＣｌ３：３９．５ｐｐｍ  ブロード；１２９．７ｐｐｍ  ｄ、Ｊ＝２０．６Ｈｚ）
【００５５】
（Ｐｈ２ＰＮ（ｉＰｒ）Ｐ（Ｐｈ）ＯＭｅの調製  （Ｃ））
０．７７ｇ（２ｍｍｏｌ）のＰｈ２ＰＮ（ｉＰｒ）Ｐ（Ｐｈ）Ｃｌ、１ｍＬ（７ｍｍｏｌ）のトリエチルアミン、０．１６２ｍＬ（４ｍｍｏｌ）のメタノールおよびトルエンの混合物を、５０℃で２日間撹拌した。濁った溶液を濾過し、乾燥するまで蒸発させて、無色の油を得た。（３１Ｐ−ＮＭＲ  ＣＤＣｌ３：３６．３ｐｐｍ  ブロード；１３３．３ｐｐｍ  ｄ、Ｊ＝１９．６Ｈｚ）
【００５６】
Ｐｈ２Ｐ（ｉＰｒ）ＮＰＣｌの調製は、クロス  Ｒ．Ｊ．；グリーン，Ｈ．Ｔ．；キート，Ｒ．「Ｊ．Ｃｈｅｍ．Ｓｏｃ．Ｄａｌｔｏｎ  Ｔｒａｎｓ．」１９７６、１４２４〜１４２８頁に従って行った。
【００５７】
上記の実験手順に従い、触媒のオリゴマ化テストを実施した。
【００５８】
触媒性能テストの結果を表２に示す。均一触媒系は、１−ヘキセンおよび１−オクテンへの好ましい選択率を示した。表２では、標準的な反応条件は、ｐエチレン＝３０ｂａｒ、Ｔ＝６０℃、助触媒＝５ｍＬのＭＭＡＯ−３Ａ（ヘプタン中７ｗｔ％のＡｌ）、７５ｍＬの溶媒、［Ｃｒ］＝０．０３４ｍｍｏｌ、［配位子］／［Ｃｒ］＝１．２５である。
【００５９】
【表２】
2016529098.tif 000009
【００６０】
要約すると、触媒組成物は、（ａ）クロム化合物、好ましくは、Ｃｒ（ＩＩ）またはＣｒ（ＩＩＩ）の有機塩もしくは無機塩、配位錯体、または有機金属錯体であるクロム化合物、より好ましくは、ＣｒＣｌ３（ＴＨＦ）３、Ｃｒ（ＩＩＩ）アセチルアセトネート、Ｃｒ（ＩＩＩ）オクタノエート、クロムヘキサカルボニル、Ｃｒ（ＩＩＩ）−２−エチルヘキサノエート、（ベンゼン）トリカルボニル−クロム、または前述のうちの少なくとも１つを含む組合せであるクロム化合物と、（ｂ）一般構造
（Ａ）Ｒ１Ｒ２Ｐ−Ｎ（Ｒ３）−Ｐ（Ｒ４）−ＮＲ５Ｒ６または
（Ｂ）Ｒ１Ｒ２Ｐ−Ｎ（Ｒ３）−Ｐ（ＸＲ７）Ｒ８もしくはＲ１Ｒ２Ｐ−Ｎ（Ｒ３）−Ｐ（ＸＲ７）２
（式中、Ｘ＝ＯもしくはＳであり、Ｒ１、Ｒ２、Ｒ３、Ｒ４、Ｒ５、Ｒ６、Ｒ７およびＲ８は独立して、Ｃ１〜Ｃ１０−アルキル、Ｃ６〜Ｃ２０−アリール、Ｃ３〜Ｃ１０−シクロアルキル、アラルキル、アルキルアリール、もしくはトリアルキルシリルである）の配位子、または（Ａ）および（Ｂ）の任意の環状誘導体の配位子であって、ＰＮＰＮ単位またはＰＮＰ単位のＰまたはＮ原子の少なくとも１つが、環システムの一部であり、環システムが、構造（Ａ）または（Ｂ）の１つ以上の構成化合物から置換により形成される配位子、好ましくは、Ｒ１、Ｒ２、Ｒ３、Ｒ４、Ｒ５、Ｒ６、Ｒ７およびＲ８がメチル、エチル、イソプロピル、ｔｅｒｔ−ブチル、シクロヘキシル、フェニル、ベンジル、トリル、もしくはキシリルである、配位子と、（ｃ）活性剤または助触媒であって、好ましくは、トリメチルアルミニウム、トリエチルアルミニウム、トリイソプロピルアルミニウム、トリイソブチルアルミニウム、エチルアルミニウムセスキクロリド、ジエチルアルミニウムクロリド、エチルアルミニウムジクロリド、メチルアルミノキサン（ＭＡＯ）、変性メチルアミノキサン（ＭＭＡＯ）、または前述のうちの少なくとも１つを含む組合せである活性剤または助触媒とを含み；より好ましくは、配位子（Ａ）がＰｈ２Ｐ−Ｎ（ｉ−Ｐｒ）−Ｐ（Ｐｈ）−Ｎ（ｉ−Ｐｒ）Ｐｈ、Ｐｈ２Ｐ−Ｎ（ｉ−Ｐｒ）−Ｐ（Ｐｈ）−Ｎ（Ｍｅ）Ｃ６Ｈ６、Ｐｈ２Ｐ−Ｎ（ｉ−Ｐｒ）−Ｐ（Ｐｈ）Ｓ（ｉ−Ｐｒ）、Ｐｈ２Ｐ−Ｎ（ｉ−Ｐｒ）−Ｐ（Ｐｈ）ＯＣ２Ｈ５、Ｐｈ２Ｐ−Ｎ（ｉ−Ｐｒ）Ｐ（Ｐｈ）ＯＣＨ３、または前述のうちの少なくとも１つを含む組合せであり任意選択で、下記の条件の１つ以上が適用される：触媒組成物が溶媒、好ましくは芳香族炭化水素、直鎖脂肪族炭化水素、環状脂肪族炭化水素、直鎖オレフィン、直鎖エーテル、または前述のうちの少なくとも１つを含む組合せ、より好ましくはトルエン、ベンゼン、エチルベンゼン、クメン、キシレン、メシチレン、ヘキサン、オクタン、シクロヘキサン、メチルシクロヘキサン、ヘキセン、ヘプテン、オクテン、ジエチルエーテル、テトラヒドロフラン、クロロベンゼン、または前述のうちの少なくとも１つを含む組合せ、最も好ましくは、トルエンまたはクロロベンゼンを更に含む；クロム化合物の濃度が、０．０１から１００ｍｍｏｌ／Ｌまで、好ましくは、０．１から１０ｍｍｏｌ／Ｌである；配位子／Ｃｒモル比が、０．５から５０まで、好ましくは、０．８から２．０である；およびＡｌ／Ｃｒモル比が、１：１から１０００：１まで、好ましくは、１０：１から２００：１である。
【００６１】
前述の触媒組成物の製造のための方法は、（ａ）クロム化合物、好ましくは、Ｃｒ（ＩＩ）またはＣｒ（ＩＩＩ）の有機塩もしくは無機塩、配位錯体、または有機金属錯体であるクロム化合物、より好ましくは、ＣｒＣｌ３（ＴＨＦ）３、Ｃｒ（ＩＩＩ）アセチルアセトネート、Ｃｒ（ＩＩＩ）オクタノエート、クロムヘキサカルボニル、Ｃｒ（ＩＩＩ）−２−エチルヘキサノエート、（ベンゼン）トリカルボニル−クロム、または前述のうちの少なくとも１つを含む組合せであるクロム化合物と、（ｂ）一般構造
（Ａ）Ｒ１Ｒ２Ｐ−Ｎ（Ｒ３）−Ｐ（Ｒ４）−ＮＲ５Ｒ６または
（Ｂ）Ｒ１Ｒ２Ｐ−Ｎ（Ｒ３）−Ｐ（ＸＲ７）Ｒ８もしくはＲ１Ｒ２Ｐ−Ｎ（Ｒ３）−Ｐ（ＸＲ７）２
（式中、Ｘ＝ＯもしくはＳであり、Ｒ１、Ｒ２、Ｒ３、Ｒ４、Ｒ５、Ｒ６、Ｒ７およびＲ８は独立して、Ｃ１〜Ｃ１０−アルキル、Ｃ６〜Ｃ２０−アリール、Ｃ３〜Ｃ１０−シクロアルキル、アラルキル、アルキルアリール、もしくはトリアルキルシリルである）の配位子、あるいは（Ａ）または（Ｂ）の任意の環状誘導体の配位子であって、ＰＮＰＮ単位またはＰＮＰ単位のＰまたはＮ原子の少なくとも１つが、環システムの一部であり、環システムが、構造（Ａ）または（Ｂ）の１つ以上の構成化合物から置換により形成される配位子、好ましくは、Ｒ１、Ｒ２、Ｒ３、Ｒ４、Ｒ５、Ｒ６、Ｒ７またはＲ８がメチル、エチル、イソプロピル、ｔｅｒｔ−ブチル、シクロヘキシル、フェニル、ベンジル、トリル、キシリル、または前述のうちの少なくとも１つを含む組合せである、配位子と、（ｃ）活性剤または助触媒であって、好ましくは、トリメチルアルミニウム、トリエチルアルミニウム、トリイソプロピルアルミニウム、トリイソブチルアルミニウム、エチルアルミニウムセスキクロリド、ジエチルアルミニウムクロリド、エチルアルミニウムジクロリド、メチルアルミノキサン（ＭＡＯ）、変性メチルアミノキサン（ＭＭＡＯ）、または前述のうちの少なくとも１つを含む組合せである活性剤または助触媒とを混合することを含み；より好ましくは、配位子（Ａ）がＰｈ２Ｐ−Ｎ（ｉ−Ｐｒ）−Ｐ（Ｐｈ）−Ｎ（ｉ−Ｐｒ）Ｐｈ、Ｐｈ２Ｐ−Ｎ（ｉ−Ｐｒ）−Ｐ（Ｐｈ）−Ｎ（Ｍｅ）Ｃ６Ｈ６、Ｐｈ２Ｐ−Ｎ（ｉ−Ｐｒ）−Ｐ（Ｐｈ）Ｓ（ｉ−Ｐｒ）、Ｐｈ２Ｐ−Ｎ（ｉ−Ｐｒ）−Ｐ（Ｐｈ）ＯＣ２Ｈ５、Ｐｈ２Ｐ−Ｎ（ｉ−Ｐｒ）Ｐ（Ｐｈ）ＯＣＨ３、または前述のうちの少なくとも１つを含む組合せであり；任意選択で、下記の条件の１つ以上が適用される：溶媒、好ましくは芳香族炭化水素、直鎖もしくは環状脂肪族炭化水素、直鎖オレフィン、直鎖エーテル、または前述のうちの少なくとも１つを含む組合せ、より好ましくはトルエン、ベンゼン、エチルベンゼン、クメン、キシレン、メシチレン、ヘキサン、オクタン、シクロヘキサン、メチルシクロヘキサン、ヘキセン、ヘプテン、オクテン、ジエチルエーテル、テトラヒドロフラン、クロロベンゼン、または前述のうちの少なくとも１つを含む組合せ、最も好ましくは、トルエンまたはクロロベンゼンが任意選択で混合される；クロム化合物の濃度が、０．０１から１００ｍｍｏｌ／Ｌまで、好ましくは、０．１から１０ｍｍｏｌ／Ｌである；配位子／Ｃｒモル比が、０．５から５０まで、好ましくは、０．８から２．０である；およびＡｌ／Ｃｒモル比が、１：１から１０００：１まで、好ましくは、１０：１から２００：１である。
【００６２】
エチレンの三量体化および／または四量体化のための方法は、触媒組成物をエチレンの気相に反応器中でさらすことと、オリゴマ化を行うこととを含み、触媒組成物が、（ａ）クロム化合物、好ましくは、Ｃｒ（ＩＩ）またはＣｒ（ＩＩＩ）の有機塩もしくは無機塩、配位錯体、または有機金属錯体であるクロム化合物、より好ましくは、ＣｒＣｌ３（ＴＨＦ）３、Ｃｒ（ＩＩＩ）アセチルアセトネート、Ｃｒ（ＩＩＩ）オクタノエート、クロムヘキサカルボニル、Ｃｒ（ＩＩＩ）−２−エチルヘキサノエート、（ベンゼン）トリカルボニル−クロム、または前述のうちの少なくとも１つを含む組合せであるクロム化合物と、（ｂ）一般構造
（Ａ）Ｒ１Ｒ２Ｐ−Ｎ（Ｒ３）−Ｐ（Ｒ４）−ＮＲ５Ｒ６または
（Ｂ）Ｒ１Ｒ２Ｐ−Ｎ（Ｒ３）−Ｐ（ＸＲ７）Ｒ８もしくはＲ１Ｒ２Ｐ−Ｎ（Ｒ３）−Ｐ（ＸＲ７）２
（式中、Ｘ＝ＯもしくはＳであり、Ｒ１、Ｒ２、Ｒ３、Ｒ４、Ｒ５、Ｒ６、Ｒ７およびＲ８は独立して、Ｃ１〜Ｃ１０−アルキル、Ｃ６〜Ｃ２０−アリール、Ｃ３〜Ｃ１０−シクロアルキル、アラルキル、アルキルアリール、もしくはトリアルキルシリルである）の配位子、または（Ａ）および（Ｂ）の任意の環状誘導体の配位子であって、ＰＮＰＮ単位またはＰＮＰ単位のＰもしくはＮ原子の少なくとも１つが、環システムの一部であり、環システムが、構造（Ａ）または（Ｂ）の１つ以上の構成化合物から置換により形成される配位子、好ましくは、Ｒ１、Ｒ２、Ｒ３、Ｒ４、Ｒ５、Ｒ６、Ｒ７およびＲ８がメチル、エチル、イソプロピル、ｔｅｒｔ−ブチル、シクロヘキシル、フェニル、ベンジル、トリル、キシリル、または前述のうちの少なくとも１つを含む組合せである、配位子と、（ｃ）活性剤または助触媒であって、好ましくは、トリメチルアルミニウム、トリエチルアルミニウム、トリイソプロピルアルミニウム、トリイソブチルアルミニウム、エチルアルミニウムセスキクロリド、ジエチルアルミニウムクロリド、エチルアルミニウムジクロリド、メチルアルミノキサン（ＭＡＯ）、変性メチルアミノキサン（ＭＭＡＯ）、または前述のうちの少なくとも１つを含む組合せである活性剤または助触媒とを含み；より好ましくは、配位子（Ａ）がＰｈ２Ｐ−Ｎ（ｉ−Ｐｒ）−Ｐ（Ｐｈ）−Ｎ（ｉ−Ｐｒ）Ｐｈ、Ｐｈ２Ｐ−Ｎ（ｉ−Ｐｒ）−Ｐ（Ｐｈ）−Ｎ（Ｍｅ）Ｃ６Ｈ６、Ｐｈ２Ｐ−Ｎ（ｉ−Ｐｒ）−Ｐ（Ｐｈ）Ｓ（ｉ−Ｐｒ）、Ｐｈ２Ｐ−Ｎ（ｉ−Ｐｒ）−Ｐ（Ｐｈ）ＯＣ２Ｈ５、もしくはＰｈ２Ｐ−Ｎ（ｉ−Ｐｒ）Ｐ（Ｐｈ）ＯＣＨ３、または前述のうちの少なくとも１つを含む組合せであり；任意選択で、下記の条件の１つ以上が適用される：触媒組成物が溶媒、好ましくは芳香族炭化水素、直鎖および環状脂肪族炭化水素、直鎖オレフィン、直鎖エーテル、または前述のうちの少なくとも１つを含む組合せ、より好ましくはトルエン、ベンゼン、エチルベンゼン、クメン、キシレン、メシチレン、ヘキサン、オクタン、シクロヘキサン、メチルシクロヘキサン、ヘキセン、ヘプテン、オクテン、ジエチルエーテル、テトラヒドロフラン、クロロベンゼン、または前述のうちの少なくとも１つを含む組合せ、最も好ましくは、トルエンまたはクロロベンゼンを更に含む；クロム化合物の濃度が、０．０１から１００ｍｍｏｌ／Ｌまで、好ましくは、０．１から１０ｍｍｏｌ／Ｌである；配位子／Ｃｒモル比が、０．５から５０まで、好ましくは、０．８から２．０である；およびＡｌ／Ｃｒモル比が、１：１から１０００：１まで、好ましくは、１０：１から２００：１である；オリゴマ化が、圧力１から２００ｂａｒ、好ましくは、１０から５０ｂａｒで実施される；オリゴマ化が、温度１０から２００℃まで、好ましくは、２０から１００℃で実施される；およびオリゴマ化の間の平均滞留時間が、１０分から２０時間まで、好ましくは、１から４時間である。
【００６３】
単数形「ａ」、「ａｎ」、および「ｔｈｅ」は、文脈が明らかに単数であることを規定しない限り、複数の指示物を含む。「または」は「および／または」を意味する。同じ成分または特性に向けられる全ての範囲の末端の点は、包含され、独立して組み合わせることができる（例えば、「２５ｗｔ％以下、または５ｗｔ％から２０ｗｔ％」の範囲は、末端の点、および「５ｗｔ％から２５ｗｔ％」の範囲の全ての中間の値などを包含する）。より広い範囲に加え、より狭い範囲またはより具体的な群の開示は、より広い範囲またはより大きな群の放棄ではない。特に別に定義されない限り、本明細書で使用される技術的および科学的用語は、この発明が属する技術の業者が一般に理解する意味と同じ意味を有する。「組合せ」は、ブレンド、混合物、合金、反応生成物、およびこれらに類するものを包含する。
【００６４】
本明細書で使用するとき、用語「ヒドロカルビル」および「炭化水素」は、広く炭素および水素を含む、任意選択で１から３個のヘテロ原子、例えば、酸素、窒素、ハロゲン、ケイ素、硫黄、またはこれらの組合せを含む置換基を指し；「アルキル」は、直鎖または分枝鎖の飽和した一価の炭化水素基を指し；「アルキレン」は、直鎖または分枝鎖の飽和した二価の炭化水素基を指し；「アルキリデン」は、直鎖または分枝鎖の飽和した二価の炭化水素基であって、両方の原子価が単一の共通の炭素原子にある炭化水素基を指し；「アルケニル」は、直鎖または分枝鎖の一価の炭化水素基であって、少なくとも２個の炭素が炭素−炭素二重結合により結合した炭化水素基を指し；「シクロアルキル」は、非芳香族の一価の単環式または多環式炭化水素基であって、少なくとも３個の炭素原子を有する炭化水素基を指し；「シクロアルケニル」は、非芳香族の環状の二価の炭化水素基であって、少なくとも３個の炭素原子を有し、不飽和度が少なくとも１である炭化水素基を指し；「アリール」は、芳香族の一価の基であって、芳香環に炭素のみを含有する基を指し；「アリーレン」は、芳香族の二価の基であって、芳香環に炭素のみを含有する基を指し；「アルキルアリール」は、上記で定義されたアルキル基で置換されたアリール基を指し、４−メチルフェニルが例示的なアルキルアリール基であり；「アリールアルキル」は、上記で定義されたアリール基で置換されたアルキル基を指し、ベンジルが例示的なアリールアルキル基であり；「アシル」は、上記で定義されたアルキル基であって、示された数の炭素原子がカルボニル炭素ブリッジ（−Ｃ（＝Ｏ）−）を介して結合したアルキル基を指し；「アルコキシ」は、上記で定義されたアルキル基であって、示された数の炭素原子が酸素ブリッジ（−Ｏ−）を介して結合したアルキル基を指し；「アリールオキシ」は、上記で定義されたアリール基であって、示された数の炭素原子が酸素ブリッジ（−Ｏ−）を介して結合したアリール基を指す。
【００６５】
別段の指示がない限り、前述の基のそれぞれは、非置換であってもまたは置換されていてもよいが、ただし置換が、化合物の合成、安定性、または使用に著しく悪影響を与えない場合に限る。本明細書で使用する用語「置換された」は、指定された原子または基の少なくとも１つの水素が、別の基で置き換えられていることを意味するが、ただし指定された原子の通常の原子価を超えない場合に限る。置換基がオキソ（すなわち、＝Ｏ）である場合、原子上の２個の水素が置き換えられる。置換基および／または変数の組合せは、置換が、化合物の合成または使用に著しく悪影響を与えない場合に限り許される。「置換された」位置に存在し得る例示的な基としては、限定するものではないが、シアノ；ヒドロキシル；ニトロ；アジド；アルカノイル（例えば、Ｃ２〜６アルカノイル基、例えば、アシル）；カルボキサミド；Ｃ１〜６もしくはＣ１〜３アルキル、シクロアルキル、アルケニル、およびアルキニル（少なくとも１つの不飽和結合および２から８個、もしくは２から６個の炭素原子を有する基を含む）；Ｃ１〜６もしくはＣ１〜３アルコキシ；Ｃ６〜１０アリールオキシ、例えばフェノキシ；Ｃ１〜６アルキルチオ；Ｃ１〜６もしくはＣ１〜３アルキルスルフィニル；Ｃ１〜６もしくはＣ１〜３アルキルスルホニル；アミノジ（Ｃ１〜６もしくはＣ１〜３）アルキル；少なくとも１つの芳香環を有するＣ６〜１２アリール（例えば、フェニル、ビフェニル、ナフチル、もしくはこれに類するものであって、それぞれの環は置換もしくは非置換の芳香族である）；１〜３個の分離した環もしくは縮合環および６から１８個の環の炭素原子を有するＣ７〜１９アリールアルキル；または１から３個の分離した環もしくは縮合環および６から１８個の環の炭素原子を有するアリールアルコキシ（ベンジルオキシが例示的なアリールアルコキシである）が挙げられる。
【００６６】
引用された全ての特許、特許出願、および他の参考文献は、その全体を本願に引用して援用する。しかし、本出願の用語が、援用された参考文献の用語と矛盾または対立する場合、本出願の用語が、援用された参考文献の対立する用語よりも優先する。
【００６７】
前述の説明、特許請求の範囲および／または添付の図面で開示された特徴は、別々におよびそれらの任意の組合せで、本発明を多様な形態で理解するための材料であり得る。
【国際調査報告】
2016529098.tif 000010
2016529098.tif 000011
2016529098.tif 000012
2016529098.tif 000013
2016529098.tif 000014
2016529098.tif 000015